(57)【要約】第１のエンティティによりかつユーザに関連づけられるデータを使用してネットワークアクセス可能なアカウントを提供する１つまたは複数のエンティティのリストを決定することと、上記ユーザが上記１つまたは複数のエンティティのリストから第２のエンティティを選択することを可能にし、上記ユーザが上記第２のエンティティによって提供されるネットワークアクセス可能なアカウントのアクセス情報を提供できるようにすることを含む第１のエンティティによる技術。
2007526538.tif 000002
【特許請求の範囲】
【請求項１】
第１のエンティティによってかつユーザに関連づけられるデータを使用して、ネットワークアクセス可能なアカウントを提供する１つまたは複数の他のエンティティのリストを決定する工程と、
前記ユーザが前記１つまたは複数の他のエンティティのリストから第２のエンティティを選択するのを可能にする工程と、
前記ユーザが前記第２のエンティティによって提供されるネットワークアクセス可能なアカウントのアクセス情報を提供するのを可能にする工程を備える方法。
【請求項２】
リストを決定する工程は前記ユーザに関連づけられるパーソナライゼーションデータを決定する工程をさらに備える請求項１に記載の方法。
【請求項３】
前記パーソナライゼーションデータは予め定義されたユーザグループによって共有される特性を含む請求項２に記載の方法。
【請求項４】
前記特性は地理的ロケーション、コンピュータのタイプ、オペレーティングシステムのタイプ、ウェブナビゲーションのパターン及び金融アカウントにおける金額のうちの１つを含む請求項３に記載の方法。
【請求項５】
パーソナライゼーションデータを決定する工程は、
前記ユーザへパーソナライゼーションテストを供給する工程と、
前記パーソナライゼーションテストからの前記ユーザの１つまたは複数の回答を分析する工程をさらに備える請求項２に記載の方法。
【請求項６】
パーソナライゼーションデータを決定する工程は前記ユーザに関連づけられる特性を自動的に収集する工程をさらに含む請求項２に記載の方法。
【請求項７】
ユーザが第２のエンティティを選択するのを可能にする工程は１つまたは複数のエンティティのリストを前記ユーザへ表示する工程をさらに含む請求項１に記載の方法。
【請求項８】
決定する工程は前記第１のエンティティとの関連を有する１つまたは複数のエンティティを決定する工程をさらに含む請求項１に記載の方法。
【請求項９】
第１のエンティティとの関連を有する１つまたは複数のエンティティを決定する工程は、
前記第１のエンティティとの関連を有する１つまたは複数のエンティティを同定する工程と、
前記関連に基づいて前記リストを順序づける工程をさらに備える請求項８に記載の方法。
【請求項１０】
前記関係は競争を含む請求項８に記載の方法。
【請求項１１】
前記関係は協力を含む請求項８に記載の方法。
【請求項１２】
前記アクセス情報は、
前記アカウントのユーザ識別子と、
アカウント認証符号を含む請求項１に記載の方法。
【請求項１３】
前記ネットワークアクセス可能なアカウントのアクセス情報は前記ネットワークアクセス可能なアカウントを自動的にネットワーク上でアクセス可能にする請求項１に記載の方法。
【請求項１４】
前記ユーザに関するデータは、名前、地理的ロケーション、前記ユーザにより使用されるコンピュータシステム及びウェブナビゲーションの履歴のうちの少なくとも１つを含む請求項１に記載の方法。
【請求項１５】
前記ユーザへ１つまたは複数のアカウントを提供する工程をさらに備える請求項１に記載の方法。
【請求項１６】
前記ユーザに関連づけられるデータは前記第１のエンティティによって提供されるアカウントに関する情報を含む請求項１５に記載の方法。
【請求項１７】
前記情報は前記第１のエンティティによって提供される第１のアカウントの残高を含む請求項１６に記載の方法。
【請求項１８】
前記ネットワークアクセス可能なアカウントをアカウントの集計へ追加する工程をさらに備える請求項１に記載の方法。
【請求項１９】
前記ユーザが前記第１のエンティティにより提供される第１のアカウントを選択するのを可能にする工程と、
前記第１のアカウントを前記アカウントの集計へ追加する工程をさらに備える請求項１８に記載の方法。
【請求項２０】
前記第１のエンティティは金融機関を含み、本方法は前記第１のエンティティにより１つまたは複数の金融アカウントを前記ユーザへ提供する工程をさらに備える請求項１に記載の方法。
【請求項２１】
ユーザが第２のエンティティを選択するのを可能にする工程は、前記ユーザが金融アカウントを提供する１つまたは複数のエンティティのリストから金融機関を含む第２のエンティティを選択するのを可能にする工程をさらに含む請求項１に記載の方法。
【請求項２２】
ユーザが第２のエンティティを選択するのを可能にする工程は、前記ユーザが電子メールアカウント、マイレージアカウントまたはカレンダーアカウントを提供する１つまたは複数のエンティティのリストから第２のエンティティを選択するのを可能にする工程をさらに含む請求項１に記載の方法。
【請求項２３】
サーバと、
第１のエンティティによって管理されるデータベースと、
前記第１のサーバへのウェブページインタフェースと、
第１のエンティティによって設定されたプログラムであって、
前記データベースからユーザに関連づけられるデータへアクセスし、
前記ユーザに関連づけられるデータを使用して、ネットワークアクセス可能なアカウントを提供する１つまたは複数のエンティティのリストを決定し、
前記ユーザが前記１つまたは複数のエンティティのリストから第２のエンティティを選択するのを可能にし、
前記ユーザが前記第２のエンティティによって提供されるネットワークアクセス可能なアカウントのアクセス情報を提供するのを可能にするように設定された前記プログラムを備えるシステム。
【請求項２４】
前記プログラムはさらに、
前記ユーザへパーソナライゼーションテストを供給し、
前記パーソナライゼーションテストからのユーザの１つまたは複数の回答を分析するように設定される請求項２３記載のシステム。
【請求項２５】
前記パーソナライゼーションテストは予め定義されたユーザグループによって共有される特性を含む請求項２４記載のシステム。
【請求項２６】
前記プログラムはさらに前記１つまたは複数のエンティティのリストを前記ユーザへ表示するように設定される請求項２３記載のシステム。
【請求項２７】
前記プログラムはさらに、
前記リストから、その業務が前記第１のエンティティの業務との関連を有する１つまたは複数のエンティティを同定し、
前記リストの表示において前記同定された１つまたは複数のエンティティに優先順位をつけるように設定される請求項２６記載のシステム。
【請求項２８】
前記関係は競争を含む請求項２７記載のシステム。
【請求項２９】
前記関係は協力を含む請求項２７記載のシステム。
【請求項３０】
前記アクセス情報は、
前記アカウントのユーザ識別子と、
アカウント認証符号を含む請求項２３記載のシステム。
【請求項３１】
前記ネットワークアクセス可能なアカウントのアクセス情報は、前記ネットワークアクセス可能なアカウントを自動的にネットワーク上でアクセス可能にする請求項３０記載のシステム。
【請求項３２】
前記ユーザに関するデータは、名前、地理的ロケーション、前記ユーザにより使用されるコンピュータシステム及びウェブナビゲーションの履歴のうちの少なくとも１つを含む請求項２３記載のシステム。
【請求項３３】
前記第１のエンティティは前記ユーザへ１つまたは複数のアカウントを提供する請求項２３記載のシステム。
【請求項３４】
前記ユーザに関連づけられるデータは前記第１のエンティティによって提供されるアカウントに関する情報を含む請求項２３記載のシステム。
【請求項３５】
前記情報は前記第１のエンティティによって提供される第１のアカウントの残高を含む請求項３４記載のシステム。
【請求項３６】
前記プログラムはさらに前記ネットワークアクセス可能なアカウントをアカウントの集計へ追加するように設定される請求項２３記載のシステム。
【請求項３７】
前記プログラムはさらに、
前記ユーザが前記第１のエンティティにより提供されるアカウントから第１のアカウントを選択することを可能にすることと、
前記第１のアカウントを前記アカウントの集計へ追加することを行うように設定される請求項３６記載のシステム。
【請求項３８】
前記第１のエンティティは金融機関を含み、かつ前記第１のエンティティは１つまたは複数の金融アカウントを前記ユーザへ提供する請求項２３記載のシステム。
【請求項３９】
前記プログラムはさらに、ユーザが金融アカウントを提供する１つまたは複数のエンティティのリストから金融機関を含む第２のエンティティを選択可能に設定される請求項２３記載のシステム。
【請求項４０】
前記プログラムはさらに、ユーザが電子メールアカウント、マイレージアカウントまたはカレンダーアカウントを提供する１つまたは複数のエンティティのリストから第２のエンティティを選択可能に設定される請求項２３記載のシステム。
【請求項４１】
１つまたは複数のマシンに、
第１のエンティティによりかつユーザに関連づけられるデータを使用してネットワークアクセス可能なアカウントを提供する１つまたは複数の他のエンティティのリストを決定する工程と、
前記ユーザが前記１つまたは複数の他のエンティティのリストから第２のエンティティを選択するのを可能にする工程と、
前記ユーザが前記第２のエンティティによって提供されるネットワークアクセス可能なアカウントのアクセス情報を提供するのを可能にする工程と、を含むオペレーションを実行させるべく動作可能な命令を格納する機械読み取り可能媒体を備える物品。
【発明の詳細な説明】
【技術分野】
【０００１】
本発明は、概してネットワークアクセス可能なアカウントを管理することに関する。
【背景技術】
【０００２】
ネットワーク上のサーバを実行する機関は、ネットワークアクセス可能なアカウントを管理している。またこれらの機関は、これらのネットワークアクセス可能なアカウントに関する情報を格納するデータベースも保持している。サーバは、これらのデータベースを接続してユーザがネットワーク上でこれらのアカウントに安全にアクセスし、データベース内のアカウント情報を読み取る、または修正するのを可能にする。
【発明の開示】
【発明が解決しようとする課題】
【０００３】
このようなネットワークアクセス可能なアカウントは、金融関連のものである場合もそうでない場合もある。これらのアカウントは、様々な機関によって提供されることもある。金融アカウントの場合、ユーザがユーザの全ての財務状況を統合したスナップショットを見ることができるため、ネットワークアクセス可能なアカウントの包括的ビューはユーザにとって重要である。非金融アカウントの場合、これはユーザがこれらの非金融アカウントから情報を連結することを可能にする。電子メール（email）アカウント等の非金融アカウントの場合、これによりユーザは異なる電子メールプロバイダからの全ての電子メールを見ることができる。この包括的ビューは、ユーザのアカウントに関する情報を１つのロケーションに集めることによって達成される。典型的には、ユーザは、集合サービスがアカウントを位置決めできるようにＵＲＬまたは何らかの類似タイプのアドレスを入力する。
【０００４】
アカウントアクセスコードは概して、ネットワーク上でサーバにより管理されるネットワークアクセス可能なアカウントへのアクセスを得るために必要な情報（例えばユーザ信用証明）を指す。このコードは、典型的にはユーザの識別子及び認証符号である。このようなアカウントアクセス情報を所与として、ウェブを使用するプログラムは自動的にネットワーク上へ進み、ネットワークアクセス可能な各アカウントに関する高レベル情報を周期的に収集することができる。続いてプログラムは、ユーザがその集められたアカウントの包括的ビューを提供するサーバへログインすると、ユーザにこの高レベル情報を表示する。
【０００５】
ユーザインタフェースウィザードは概して、ユーザがソフトウェアユーザインタフェースを使用して所定のタスクを実行する手助けをするユーティリティを指す。このユーティリティは典型的には、一連のステップを介してユーザをガイドする。ユーティリティは概して、ソフトウェアを使用して特定のジョブを実行するより大きいアプリケーションに含まれるプログラムを指す。
【課題を解決するための手段】
【０００６】
概して、一態様における方法は、第１のエンティティによりかつユーザに関連づけられるデータを使用してネットワークアクセス可能なアカウントを提供する１つまたは複数の他のエンティティのリストを決定する工程と、前記ユーザが前記１つまたは複数の他のエンティティのリストから第２のエンティティを選択するのを可能にする工程と、前記ユーザが前記第２のエンティティによって提供されるネットワークアクセス可能なアカウントのアクセス情報を提供するのを可能にする工程を含む。
【０００７】
実施形態は下記の１つまたは複数を含むことができる。前記リストを決定する工程は、ユーザに関連づけられるパーソナライゼーションデータを決定する工程をさらに含む。パーソナライゼーションデータは、予め定義されたユーザグループによって共有される特性を含む。前記特性は、地理的ロケーション、コンピュータタイプ、オペレーティングシステムのタイプ、ウェブナビゲーションのパターン及び金融アカウントにおける金額のうちの１つを含む。パーソナライゼーションデータを決定する工程は、ユーザへパーソナライゼーションテストを供給し、前記パーソナライゼーションテストからのユーザの１つまたは複数の回答を分析する工程をさらに含む。パーソナライゼーションデータを決定する工程は、ユーザに関連づけられる特性を自動的に収集する工程をさらに含む。前記ユーザが第２のエンティティを選択するのを可能にする工程は、１つまたは複数のエンティティのリストをユーザへ表示する工程をさらに含む。前記決定する工程は、前記第１のエンティティとの関連を有する１つまたは複数のエンティティを決定する工程をさらに含む。前記第１のエンティティとの関連を有する１つまたは複数のエンティティを決定する工程は、前記第１のエンティティとの関連を有する１つまたは複数のエンティティを同定する工程と、関連に基づいてリストを順序づける工程をさらに含む。前記関係は、競争関係を含む。前記関係は、協力関係を含む。アクセス情報は、アカウントのユーザ識別子及びアカウント認証符号を含む。ネットワークアクセス可能なアカウントのアクセス情報は、ネットワークアクセス可能なアカウントを自動的にネットワーク上でアクセス可能にする。ユーザに関するデータは、名前、地理的ロケーション、前記ユーザにより使用されるコンピュータシステム及びウェブナビゲーションの履歴のうちの少なくとも１つを含む。本方法は、ユーザへ１つまたは複数のアカウントを提供する工程をさらに含む。ユーザに関連づけられるデータは、第１のエンティティによって提供されるアカウントに関する情報を含む。前記情報は、前記第１のエンティティによって提供される第１のアカウントの残高を含む。本方法は、ネットワークアクセス可能なアカウントをアカウントの集計へ追加する工程をさらに含む。本方法は、第１のエンティティにより提供される第１のアカウントを選択する工程と、前記第１のアカウントをアカウントの集計へ追加する工程をさらに含む。前記第１のエンティティは金融機関を含み、本方法は、前記第１のエンティティにより、１つまたは複数の金融アカウントをユーザへ提供する工程をさらに含む。ユーザが第２のエンティティを選択するのを可能にする工程は、ユーザが金融アカウントを提供する１つまたは複数のエンティティのリストから金融機関を含む第２のエンティティを選択するのを可能にする工程をさらに含む。ユーザが第２のエンティティを選択するのを可能にする工程は、ユーザが電子メールアカウント、マイレージアカウントまたはカレンダーアカウントを提供する１つまたは複数のエンティティのリストから第２のエンティティを選択するのを可能にする工程をさらに含む。
【０００８】
概して、別の態様におけるシステムは、サーバと、第１のエンティティによって管理されるデータベースと、前記第１のサーバへのウェブページインタフェースと、第１のエンティティによって設定されたプログラムであって、前記データベースからユーザに関連づけられるデータへアクセスし、前記ユーザに関連づけられるデータを使用してネットワークアクセス可能なアカウントを提供する１つまたは複数のエンティティのリストを決定し、前記ユーザが前記１つまたは複数のエンティティのリストから第２のエンティティを選択できかつ前記ユーザが前記第２のエンティティによって提供されるネットワークアクセス可能なアカウントのアクセス情報を提供するのを可能にするように設定されたプログラムを含む。
【０００９】
実施形態は下記の１つまたは複数を含むことができる。前記プログラムはさらに、前記ユーザへパーソナライゼーションテストを供給しかつ前記パーソナライゼーションテストからのユーザの１つまたは複数の回答を分析するように設定される。パーソナライゼーションテストは、予め定義されたユーザグループによって共有される特性を含む。前記プログラムはさらに、前記１つまたは複数のエンティティのリストをユーザへ表示するように設定される。前記プログラムはさらに、前記リストから、その業務が前記第１のエンティティの業務との関連を有する１つまたは複数のエンティティを同定し、前記リストの表示において前記同定された１つまたは複数のエンティティに優先順位をつけるように設定される。前記関係は、競争関係を含む。前記関係は、協力関係を含む。アクセス情報は、アカウントのユーザ識別子及びアカウント認証符号を含む。ネットワークアクセス可能なアカウントのアクセス情報は、ネットワークアクセス可能なアカウントを自動的にネットワーク上でアクセス可能にする。ユーザに関するデータは、名前、地理的ロケーション、前記ユーザにより使用されるコンピュータシステム及びウェブナビゲーションの履歴のうちの少なくとも１つを含む。前記第１のエンティティは、ユーザへ１つまたは複数のアカウントを提供する。ユーザに関連づけられるデータは、第１のエンティティによって提供されるアカウントに関する情報を含む。前記情報は、前記第１のエンティティによって提供される第１のアカウントの残高を含む。前記プログラムはさらに、前記ネットワークアクセス可能なアカウントをアカウントの集計へ追加するように設定される。前記プログラムはさらに、ユーザが前記第１のエンティティにより提供されるアカウントから第１のアカウントを選択することを可能にしかつ前記第１のアカウントを前記アカウントの集計へ追加するように設定される。前記第１のエンティティは金融機関を含み、前記第１のエンティティは１つまたは複数の金融アカウントをユーザへ提供する。前記プログラムはさらに、ユーザが金融アカウントを提供する１つまたは複数のエンティティのリストから金融機関を含む第２のエンティティを選択可能に設定される。前記プログラムはさらに、ユーザが電子メールアカウント、マイレージアカウントまたはカレンダーアカウントを提供する１つまたは複数のエンティティのリストから第２のエンティティを選択可能に設定される。
【００１０】
別の態様では、１つまたは複数のマシンに、第１のエンティティによりかつユーザに関連づけられるデータを使用してネットワークアクセス可能なアカウントを提供する１つまたは複数の他のエンティティのリストを決定する工程と、前記ユーザが前記１つまたは複数の他のエンティティのリストから第２のエンティティを選択するのを可能にする工程と、前記ユーザが前記第２のエンティティによって提供されるネットワークアクセス可能なアカウントのアクセス情報を提供するのを可能にする工程を含むオペレーションを実行させるべく動作可能な命令を格納する機械読み取り可能媒体を含む物品が存在する。
【００１１】
下記の利点のうちの１つまたは複数は、本発明の１つまたは複数の態様によって提供されることが可能である。
顧客は、アカウント追加ユーザインタフェースウィザードを使用して、そのネットワークアクセス可能なアカウントの高レベルの包括的ビューを提供するネットワークアクセス可能なデータベースアプリケーションへ金融アカウント及び他のタイプのアカウントを容易に追加することができる。顧客は、ユーザインタフェースウィザードがアカウント追加プロセスを介して彼らをガイドすることができれば、そのアカウントをこの高レベルの包括的ビューへ追加する可能性が高い。包括的ビューへのアカウント包含を目的としてアカウント情報を入力する顧客に提示される機関リストは、前記顧客に関して過去に記録されている情報、他の顧客により行われた選択、ウィザードを提供する機関の目的及び／またはこれらに類似する他の要素に基づいて顧客に合わせて作成されることが可能である。このように、例えばユーザインタフェースウィザードが顧客に、前記顧客によって包括的ビューへ追加される可能性が最も高い機関を提示すれば、前記顧客はそのアカウントの包括的ビューへ追加するサイトまたはアカウントネームを検索する必要がなくなるかもしれない。言い替えれば、アカウントウィザードはアカウントがどこに（例えばＵＲＬ）位置決めされているか、及び集計にどのアカウントを利用可能であるか、を自動的に決定して、ユーザがそれらを、（例えばチェックボックスを使用して）単にリストから選択するだけで追加可能にするにことができる。
【００１２】
より多くの顧客がその財務の要約へアカウントを追加し、かつより多くの機関が包括的ビューへアカウントを追加する顧客に提示されるようになると、金融機関はその顧客によって保持されるアカウントのより完全な記録を取得することができる。このような記録は、金融機関が特定の顧客の要求に応えて新しいサービスを提供する手助けになり得る。
【００１３】
アカウント追加ユーザインタフェースウィザードは、ユーザがネットワーク上でネットワークアクセス可能なアカウントのアクセス情報を入力するプロセスを単純化する手助けをすることができる。このようなアクセスに関してアカウントの追加を介してユーザをガイドすることにより、ユーザがアカウント追加ウィザードを提供するエンティティのサービスを贔屓にしてアカウントを追加する傾向は高まり、同時にエンティティはユーザに関するさらなる情報を取得することができる。
【００１４】
他の利点は、下記の説明及び添付の請求の範囲から明らかとなるであろう。
【発明を実施するための最良の形態】
【００１５】
図１を参照すると、ネットワーク構成１００は、サーバ１０４を介してユーザ１０２へアクセス情報へのネットワークアクセスを提供する機関１２２を含む。データベース１１８は、機関１２２によって管理されるアカウントに関する情報を含む。これらのアカウントには、例えば金融機関によって管理される様々なアカウントが含まれる。例えばこれらには、銀行、貯蓄／ローン機関、小売店、ガス会社及び他の類似エンティティによって発行されるクレジットカード口座が含まれる。他の金融アカウントは、銀行口座、投資信託口座、証券取引口座、保険勘定、ローン／担保勘定及び直接課金口座を含む。非金融アカウントは、マイレージ、電子メールアカウント及びカレンダーアカウントを含むことができる。金融アカウントの場合、これらのアカウントに関する情報は財務状況の要約を含む。電子メールアカウントの場合、アカウント情報へのアクセスは、このアカウントのインボックスにおける待機中のカレント電子メールを見ること、及びユーザがそのアカウントから電子メールを送信できるようにすること等、アカウントに関連づけられる全ての機能へアクセスすることを含む。カレンダーアカウントの場合、上記情報はカレンダー内の全ての関連情報を含む。ユーザ１０２は、クライアントコンピュータ１０８を使用してそのアカウント情報にアクセスし、アクセスコードを使用してネットワーク１０６上のサーバ１０４に接続する。このアクセスコードは、典型的には識別子（例えば名前または番号）及び認証符号（例えばパスワード）より成る。
【００１６】
プログラム１１２はユーザ１０２へ、機関１２２によって管理されるそのネットワークアクセス可能なアカウントの高レベルの包括的ビューを提供する。この包括的ビューは、アカウントに関する有益な情報を含む。プログラム１１２は、例えばウェブページ１１０をユーザインタフェースとして使用してサーバ１０４において、またはサーバ１０４を介してアクセス可能である。アカウントの包括的ビューは、ネットワーク１０６上でのサーバ１０４との通信を介して提供される。この包括的ビューは、ユーザ１０２が機関１２２によって管理される様々なネットワークアクセス可能なアカウントの詳細にアクセスしてこれを見ることを許容する。またこの包括的ビューは、後述するように、機関１２４等の他の機関によって管理されるアカウントを含む場合もある。
【００１７】
プログラム１１６はプログラム１１２と連携して動作し、ユーザ１０２へ、ユーザ１０２がアカウントの包括的ビューへ機関１２２によって管理されるどのアカウントを追加するかを選択できるようにインタフェースを供給する。また上記インタフェースは、ユーザ１０２がアカウントの包括的ビューへ追加する１２４等の他の機関によって管理されるアカウントのリスト、及び関連のアクセスコードを生成できるようにする。後に詳述するが、様々な要因に基づいて、プログラム１１６は例えば機関１２４等、どの機関がユーザ１０２についてネットワークアクセス可能なアカウントを管理する可能性が最も高いかを推定する。これらの要素には、ユーザ１０２と機関１２２との取引関係の結果として機関１２２に周知である情報、及び任意選択でインタフェースにおけるパーソナライゼーションテストの質問に対してユーザ１０２により与えられる回答が含まれる。プログラム１１６によって供給されるインタフェースはユーザ１０２に機関１２４等、ユーザ１０２のためにネットワークアクセス可能なアカウントを管理する可能性が最も高いと思われる機関のリストを提供する。この可能性のある機関のリストから、ユーザ１０２は、ユーザ１０２のためにネットワークアクセス可能なアカウントを管理する機関を選択する。これらの機関の各々について、プログラム１１６は、ユーザ１０２が各機関によって管理されるアカウントのアクセス情報を入力できるようにするユーザインタフェースウィンドウを提示する。
【００１８】
ユーザ１０２は、ネットワーク１０６上でサーバ１０４と通信する能力を有するデバイスであるクライアント１０８を使用してサーバ１０４と通信する。既にユーザ１０２のアカウントの幾つかを管理している機関１２２は、典型的にはサーバ１０４を保持し、管理しかつそうでなければこれを提供するが、サーバ１０４の実際のプロバイダは、機関１２２により認定されてサーバ１０４を供給する任意のエンティティを含むことができる。
【００１９】
クライアント１０８は、サーバ１０４によって供給される、またはサポートされるウェブページ１１０にアクセスする。ユーザ１０２は、例えばインターネットプロトコル及びプログラム１１２及び１１６を使用して、ウェブページ１１０を介してそのアカウントを包括的ビューへ追加する。プログラム１１２及び１１６は、サーバ１０４がウェブページ１１０の実施及びクライアント１０８及びユーザ１０２へのサービス提供に際して使用する任意のソフトウェア及び／またはハードウェアメカニズムを含む。ユーザ１０２のアカウントに関する情報の包括的ビューを管理するために、プログラム１１２及び１１６は、例えば上記包括的ビューにおけるネットワークアクセス可能な各アカウントの統一リソースロケータ（ＵＲＬ）を格納するデータベース１１８へのアクセスを有する。またデータベース１１８は、上記包括的ビューにおけるネットワークアクセス可能な各アカウントのアクセスコードも格納する。ユーザ１０２に対するアカウント情報の包括的ビューを管理するために、プログラム１１２及び１１６は、データベース１１８における機関１２２によって管理されるアカウントのカレント情報を検索する。またプログラム１１２及び１１６は、ネットワーク１０６上でサーバ１１４を介して、データベース１２０におけるユーザ１０２によって所有されかつ機関１２４によって管理されるアカウントの情報へのアクセスを要求することもできる。
【００２０】
データベース１２０内の情報はアクセス権を有するエンティティに限定されていることから、プログラム１１２はユーザ１０２によって提供されるアクセスコードを使用して機関１２４等の機関によって管理されるアカウントのカレント情報へのネットワークアクセス可能なアクセスを取得する。アクセスコードの供給に続いて、プログラム１１２はこれらのアカウントに関するカレント情報を収集する。実施例によっては、プログラム１１２は、データベース１２０から到来するデータをウェブページインタフェース１１０上への提示に使える形式へ変換する「スクリーンスクレーピング」を実行する。次にこのカレント情報は、ユーザ１０２へ表示されるアカウント情報の包括的ビューへ追加される。
【００２１】
ネットワーク構成１００の構成要素は、様々な方法で実施されることが可能である。ネットワーク１０６には、インターネット、ローカルエリアネットワーク（ＬＡＮ）または他のローカルネットワーク、専用ネットワーク、公衆ネットワーク、一般電話サービス（ＰＯＴＳ）または他の類似の有線または無線ネットワーク等の任意の種類のネットワーク及びこれらの任意の組合わせが含まれる。ネットワーク１０６を介する通信は、暗号化、安全プロトコルまたは他のタイプの類似メカニズム等のメカニズムによって安全を保証されることが可能である。
【００２２】
クライアント１０２は、ネットワーク１０６と通信する能力のある任意のデバイスを含む。このようなデバイスの例としては、モバイルコンピュータ、固定式コンピュータ、ワークステーション、サーバ、電話、ページャ、キーパッド、パーソナルデジタルアシスタント（ＰＤＡ）及び他の類似デバイスが含まれる。クライアント１０２は、インターネットブラウザを介してウェブページ１１０へアクセスする。ブラウザは、ウェブページ、メディアファイル及びNetscape Navigator（登録商標）、Microsoft Internet Explorer（登録商標）及び他の類似アプリケーション等のネットワーク１０６を介してアクセスされるプログラム等のアプリケーションを表示及び／または実行する能力のある任意のアプリケーションであることが可能である。
【００２３】
サーバ１０４及び１１４は各々、ネットワーク１０６と通信する能力のある、ファイルサーバ、アプリケーションサーバ、モバイルコンピュータ、固定式コンピュータ及び／または他の類似デバイス等の任意のデバイスを含むことが可能である。サーバ１０４及び１１４は任意のタイプのエンティティ、即ち金融、企業、個人、非営利、教育及びこれらに類似するものに関連づけられることが可能である。
【００２４】
ウェブページ１１０は、各々が１つまたは複数の統一リソースロケータ（ＵＲＬ）または他のネームまたはアドレスを介してアクセス可能な１つまたは複数のウェブページを含む。ウェブページ１１０は、任意の特定レイアウトまたは構成もしくは任意の特定プロトコルに限定されない。
【００２５】
プログラム１１２及び１１６は、サーバ１０４がウェブページ１１０との対話及びクライアント１０８またはユーザ１０２へのサービス提供において使用する任意のソフトウェア及び／またはハードウェアメカニズムを含む。プログラム１１２及び１１６の例としては、ルーチン、アプリケーション及び他の類似メカニズムが含まれる。プログラム１１２及び１１６は、サーバ１０４に（例えばスタンドアロンアプリケーションとして、または別のアプリケーションの一部として）包含される場合もあれば、サーバ１０４へアクセス可能である（例えばサーバ１０４によってアクセス可能なネットワーク上に包含される）場合もある。同様に、プログラム１１２及び１１６は単一のプログラム（図示されていない）として存在する場合もある。
【００２６】
データベース１１８及び１２０は、データキュー、バッファ、ローカルまたはリモートメモリデバイス、キャッシュまたは他の類似格納メカニズム等の任意タイプの格納メカニズムを含む。データベース１１８は、１つまたは複数のデータベースとして編成されてもよい。データベース１１８は、ネットワーク構成１００に示すようなサーバ１０４から分離した構成要素として存在するのでなく、サーバ１０４に包含されてもよい。同様にデータベース１２０も、ネットワーク構成１００に示すようなサーバ１１４から分離した構成要素として存在するのでなく、サーバ１１４に包含されてもよい。
【００２７】
ネットワーク構成１００に包含される構成要素は、ネットワーク構成１００に包含される他の構成要素と１つまたは複数の通信リンク上で通信することができる。これらの通信リンクは、モデムリンク、イーサネットリンク、ケーブル、ポイントツーポイントリンク、赤外線接続、光ファイバリンク、無線リンク、セルラリンク、Bluetooth（登録商標）、衛星リンク及び他の類似リンク等の任意の種類の通信リンク及びこれらの任意の組合わせを含むことが可能である。
【００２８】
さらに、ネットワーク構成１００は説明を容易にするために単純化されている。ネットワーク構成１００は、ネットワーク、通信リンク、プロキシサーバ、ファイアウォールまたは他の安全メカニズム、インターネットサービスプロバイダ（ＩＳＰ）、ゲートキーパ、ゲートウェイ、スイッチ、ルータ、ハブ、クライアント端末及び他の構成要素等のより多くの、またはより少ない追加の構成要素を含むことが可能である。
【００２９】
図１Ａを参照すると、データベース１１８は、ネットワークアクセス可能なアクセスを管理する機関１２２以外の機関のリストを含むデータテーブル１２５を含む。データテーブル１２６は、プログラム１１６が特定のユーザ１０２のネットワークアクセス可能なアカウントを管理すると思われる機関のデータテーブル１２５におけるリストのサブリストを選択できるようにする、機関１２２の全顧客に関するルールセットを保持する。ルールセット１２６については、後にさらに詳しく説明する。またデータベース１１８は、機関１２２の顧客である各ユーザ１０２に関するデータテーブル１２８、１３０、１３２、１３４及び１３６も含む。データテーブル１２８は、ユーザ１０２に関する標準ローカルアカウントデータを含む。データテーブル１３２は、後に詳述するパーソナライゼーションテストから抽出される情報を含む。データテーブル１３４は、ユーザ１０２のアカウントを管理すると思われる、機関１１８以外の機関のリストを含む。これらのリストについては、後にさらに詳しく説明する。データテーブル１３６は、ユーザ１０２のための包括的ビューへ集計（aggregate）される、機関１１８及び機関１２４等の他の機関の双方によって管理されるアカウントのリストを含む。
【００３０】
プログラム１１２の一例は、マサチューセッツ州ボストン所在のフィデリティインベストメンツのフルビューＳＭである。フルビューＳＭは、投資口座及びクレジットカード口座を含む金融アカウントの包括的ビュー、投資口座に対応する個々の投資の包括的ビュー、異なるカレンダーアカウントからのカレンダーイベントの包括的ビュー及び異なる電子メールアカウントからの電子メールの包括的ビューを含む。
【００３１】
図２を参照すると、プロセス２００は、ユーザ１０２がアカウントをそのアカウントの高レベルの包括的ビューへ追加できるようにするプログラム１１６によって実施される。プロセス２００は、ユーザ１０２が機関１２２によって提供される集計サービスを登録することを可能にする（２０２）。集計サービスの登録後、図３は、ユーザ１０２に現われるユーザインタフェース例３００を示している。プロセス２００の間の任意の時間に、ユーザ１０２はプログラム１１６（例えばアカウントウィザード）を使用して「アカウントセットアップウィザード」ボックス３０２をクリックすることによりさらに多くのアカウントを集計するオプションを有し、またはユーザ１０２は、手動でさらに多くのアカウントを集計することが可能であり、もしくは「フルビューへ進む」ボックス３０４をクリックしてさらに多くのアカウントの集計を停止することが可能である。
【００３２】
引き続き図２を参照すると、プロセス２００は、機関１２２によって管理されるユーザ１０２に関連づけられるアカウントのリストを表示する（２０４）。表示すること（２０４）は、ユーザ１０２に、アカウントの何れかが包括的ビューのためのアカウントリストに既に載せられているかどうかを示すインジケータを供給することを含む。図４は、金融アカウントのリストが各アカウントネーム３０９の左にチェックボックス３０７を有するディスプレイの一例３０６を示す。各アカウントネームの右側の勘定収支３１０は、ユーザ１０２が異なる口座を区別する上で役立つ。ネーム３０９のアカウントが高レベルの包括的ビューのアカウントリストに既に記載されていれば、ユーザ１０２にはチェックボックス３０７をチェックされたディスプレイ３０６が現われる。チェックボックス３０７にチェックが入っていなければ、ユーザ１０２は、高レベルの包括的ビューのアカウントリストへ追加したいと思う各アカウントのチェックボックス３０７をクリックする。またユーザ１０２は、既にチェックの入っているボックスをクリックして、所定のアカウントを高レベルの包括的ビューのアカウントリストから除去することもできる。
【００３３】
引き続き図２を参照すると、プロセス２００は、データテーブル１３６における高レベルの包括的ビューのためにユーザ１０２により選択される新たなアカウントリストを記録する（２０６）。
【００３４】
プロセス２００は、ユーザ１０２に関するパーソナライゼーションデータを、機関１２２がアクセス可能な情報に基づいて、ユーザ１０２と機関１２２との関係性により自動的に収集する（２１０）。この収集については、後にさらに詳しく説明する。またプロセス２００は、任意選択でユーザ１０２へパーソナライゼーションテストを供給することもできる。このパーソナライゼーションテストについて後述する。供給されれば、プロセス２００はこのパーソナライゼーションテストに対するユーザ１０２の応答からデータを収集する。プロセス２００は、この自動的に収集されるパーソナライゼーションデータ及び適用可能であればパーソナライゼーションデータからの応答及びルールセットを使用して機関リストをユーザ１０２が関連づけられる可能性のあるネットワークアクセス可能なアカウントと共に作成する（２１６）。
【００３５】
プロセス２００は、ユーザ１０２によって所有される可能性のあるアカウントを管理する、機関１２４等の他の機関のリストを表示する（２１８）。図５は、プログラム１１６によって作成される機関リストを示すディスプレイ３１２の一例を示す。本例において、ユーザ１０２はファイナンシャルＢ、Ｂ銀行オンライン及びクレジットカードＢという機関を選択している。図６、７及び８は、１２４等の機関が例えば機関のタイプによってグループ分けされる別々のディスプレイ３１４、３１６及び３１８に提示されている別の例を示している。ディスプレイ３１４は、投資口座を示す。ディスプレイ３１６は、投資口座以外の金融アカウントを示す。ディスプレイ３１８は、マイレージアカウント及び電子メールアカウント等の別のアカウントを示す。異なるディスプレイを使用してユーザ１０２に機関リストを提示する方法は、後に詳述するように設定可能でありかつアカウントウィザードサービスを提供する機関１２２のニーズに依存する。
【００３６】
引き続き図２を参照すると、プロセス２００は、１２４等の他の機関によって管理されるネットワークアクセス可能なアカウントのアクセスコード情報を記録する（２２０）。図９は、このようなアクセスコード情報を記録するための３つのディスプレイ３２０、３２２及び３２４の例を示す。ディスプレイ３２４は、ユーザ１０２が銀行Ａオンライン口座のアクセス情報を入力することを可能にする。ユーザ１０２は、ボックス３２６へユーザＩＤを、ボックス３２８へ認証符号を打ち込み、ボックス３３０へ再度認証符号を打ち込む。ユーザ１０２は、データ入力を終えると「続行」と記されたボタン３３２をクリックしてプログラム１１６へデータを記録するように指示する。続いてプロセス２００は、他の機関（例えば１２４）によって所有されるこれらのアカウントに関する情報を包括的ビューのためのアカウントリストへ追加する（２２２）。
【００３７】
プログラム１１２は周期的に、プロセス２００によって作成されるアカウントリストにおけるアカウントに関する情報を収集し、そのデータをデータテーブル１３６へ入力し、かつユーザ１０２の要求に応じてユーザ１０２により所有されかつ選択されるアカウントの最終的な高レベルの包括的ビューに記載される情報を表示する。
【００３８】
プロセス２００の説明は、図１のネットワーク構成１００に包含される構成要素に関連して行っているが、このプロセスまたは類似プロセスは別の類似するネットワーク構成で実行されることも可能である。例えばネットワーク構成１００は、複数の二次機関（図示されていない）及びネットワークアクセス可能なアカウントをサポートするそれらのサーバ（図示されていない）を含む場合もある。プログラム１１６はこれらの二次機関のリストをネットワークアクセス可能なアカウントと共に生成し（２１６）、このリストをユーザ１０２へ表示することができる（２１８）。
【００３９】
図３乃至９を参照して説明した画面は、任意の特定配置または構成に限定されない。例えば、プルダウンメニュ、タブ、ボタン、選択ボックス及びスクロールバー等の操作ツールは任意の類似タイプの操作ツールを使用して実施されることが可能である。別の例では、任意のグラフフォーマット（例えば棒、線、パイ他）及び任意の方向性で（例えば水平または垂直バーを使用して）グラフを提示することができる。さらに、１つの画面に２つ以上の画面を組み合わせて提示することもできる。またプログラム１１６は、追加の画面を作成して表示することもできる。
【００４０】
上述したように、プロセス２００はユーザ１０２に関するパーソナライゼーションデータを自動的に収集する（２１０）。これは、ユーザ１０２のアカウントを管理する機関１２２が通常入手可能な情報である。自動的に収集されるこのパーソナライゼーションデータは、ユーザ１０２のネーム及びアドレスを含むことが可能である。アドレスは、ユーザ１０２の地理的ロケーションを画定する。またこのパーソナライゼーションデータは、クライアントコンピュータ１０８のタイプ及びユーザ１０２がネットワークアクセス可能なアカウントへアクセスするために使用するクライアントコンピュータ１０８のオペレーティングシステムも含むことができる。クライアントコンピュータ１０８のタイプ及びそのオペレーティングシステムを記述するこのデータは通常、ＴＣＰ／ＩＰ等の規格ネットワークプロトコルを使用してサーバ１０４により入手可能である。ＴＣＰ／ＩＰ等のネットワークプロトコルの場合、サーバ１０４はクライアントコンピュータ１０８のウェブナビゲーションの履歴にもアクセスすることができる。機関１２２が金融機関である場合には、パーソナライゼーションデータは勘定収支を含むことができる。このパーソナライゼーションデータは、典型的にはデータテーブル１３０に格納される。
【００４１】
上述したように、プロセス２００はユーザ１０２へ手動のパーソナライゼーションテストを供給することもできる（２１２）。このテストはユーザ１０２に複数の選択問題または「穴埋め」問題で質問し、プロセス２００がユーザ１０２によって所有されるアカウントを管理している可能性のある機関のリストを作成する（２１６）ことができるように上記ユーザに関するデータを収集する。これらの質問には、趣味は何ですか、職業は何ですか、雇用者は誰ですか、雇用者の銘柄記号は何ですか、何歳ですか、インターネットサービスプロバイダ（ＩＳＰ）はどこですか、等が含まれる。質問に対する回答は、収集されて（２１４）プログラム１１６によりデータベース１１８のデータテーブル１３２へ格納される。
【００４２】
上述したように、プロセス２００は、顧客に関するパーソナライゼーションデータ及びデータテーブルに格納されるルールセット１２６からユーザ１０２によって所有される可能性のあるネットワークアクセス可能なアカウントを管理する他の機関のリストを作成する（２１６）。この作成は、全ての機関をデータテーブル１２５においてプロセス２００に周知のネットワークアクセス可能なアカウントによって類別し、これらの機関のうちのどれがユーザ１０２へ表示されるべきかを決定する規則を適用することによって行われる。このパーソナライゼーションデータは、自動的に収集されるデータ及びユーザ１０２によって入力される手動のパーソナライゼーションテストからのデータを含むことができる。
【００４３】
プロセス２００は、ユーザ１０２へ提示するこの機関リストを、データテーブルに格納されるルールセット１２６をパーソナライゼーションデータへ適用することによって作成する（２１６）。これらの規則は、データベース１１８のセクション１２２へ格納される。上記規則は、ＩＦ［条件］ＴＨＥＮ［作用］の形式をとる。これらの規則の条件部分は、ユーザ１０２のパーソナライゼーションデータにおいて幾つかのデータの存在に注目する。実施例によっては、これらの規則は、データテーブル１３０及び１３２においてパーソナライゼーションデータへ２回以上反復して適用される。
【００４４】
１つの反復において、プログラム１１６はデータテーブル１２５における機関リストをフィルタダウンするデータテーブル１２６における規則の一部を異なる機関カテゴリの機関サブリストへ適用し、これらのサブリストはデータテーブル１３４に格納される。これらのカテゴリは、例えばバンキング、保険、電子メール、投資、直払い請求会社、カレンダー、クレジットカード及びローン／担保を含むことができる。
【００４５】
実施例によっては、別の反復において、これらの規則の作用部分はデータテーブル１２５における他の機関のリストに挙げられている１つまたは複数の機関に得点を割り当てる。実施例によっては、プログラム１１６は単に、これらの規則の条件を全てユーザ１０２のパーソナライゼーションデータに照らしてチェックし、他の機関のリストに得点を割当てる。リスト全体における最高得点の機関は、ユーザ１０２へ表示される（２１８）リスト内に配置される。これらの規則に関する条件は、「趣味は水泳です」または「郵便番号は１２４５３です」等のステートメントを含む。これらの規則に関する作用は、「銀行Ｂ機関の得点に１０を加えます」または「電子メールＡ機関の得点に２０を加えます」等のステートメントを含む。
【００４６】
他の実施例では、他の反復において、これらの規則の作用部分は機関に得点をつけず、単にどの機関が表示されるべきかを述べる。例えば、ある規則は、郵便番号が０１９ＸＸから０２９ＸＸの間であれば銀行Ａ、銀行Ｂオンライン及びデータテーブル１３４における銀行カテゴリのサブリストにランクされている上位８機関を表示せよ、と規定してもよい。
【００４７】
これらの規則は、機関１２２及びユーザ１０２のニーズに基づいて作成される。１つの検討として、機関１２２は、ユーザ１０２が機関１２２と協力関係にある機関のネットワークアクセス可能なアカウントを使用するように推奨すべく動機付けされるということがある。これにより、規則が機関１２２と協力関係にある機関へより高い得点を与えるようなものにすることができる。
【００４８】
別の検討は、ユーザ１０２がそのアカウントの包括的ビューへ追加するアカウントが多いほど、他の機関１２４によって管理されかつそれらの顧客によって所有されるアカウントに関して機関１２２が得る情報は多くなる、というものである。このような記録は、機関１２２が特定の顧客の要求を満たして新しいサービスを提供する上で役に立つことがある。例えば、金融機関の場合、機関１２２は、ユーザ１０２が競合する機関１２４によって管理される金融アカウントに多額の残高を有することを知れば、ユーザ１０２のこの金融アカウントを管理する、機関１２４より好条件を提供する取引を申し出ることができる。従って、機関１２２が金融機関である場合には、規則は競合する金融機関へより高い得点を与えることができる。プログラム１１６は、これらの規則によって与えられる得点の合計によって機関リストの順序づけを行う。
【００４９】
プログラム１１６は、自動的に収集されたもの、及びパーソナライゼーションテストからのもの双方のパーソナライゼーションデータを使用して、ユーザ１０２が有すると思われるアカウントの種類に関する推論を行う。規則はこれらの推論を行うように設計される。一般的なケースでは、規則は、ユーザグループが所定の特性を有すると定義されていれば、これらのユーザは典型的には所定の機関によるアカウントを有する、という仮定を組み込む。この仮定を使用して、ユーザ１０２が同じくこの特性を有していれば、ユーザ１０２もこの所定の機関によって１つまたは複数のアカウントを有することが考えられる。よってプログラム１１６は、これらの規則を使用してユーザ１０２へユーザ１０２に合う特性を有する機関を表示し、ユーザ１０２はユーザ１０２によって所有される、またはユーザ１０２に関連づけられるアカウントを供給する機関を単に選択する。これは、ユーザ１０２へ全ての機関を長いリストにして提示することより効率的である。これらの特性には、地理的ロケーション、コンピュータのタイプまたはユーザ１０２が使用するオペレーティングシステム、（ユーザのウェブナビゲーション履歴に適合されてもよい）ウェブナビゲーションのパターン及び金融アカウントの金額が含まれる。特定の地理的ロケーションは、その地理的ロケーションに対してローカルである機関により高い得点を与えるように使用される。例えば、ネットワークアクセス可能なアカウントを有する所定の銀行は、所定の地理的ロケーションにとってローカルである。さらに、ネットワークアクセス可能なマイレージアカウントを有する所定の航空会社は、特定の地理的ロケーションにとってローカルである。コンピュータのタイプまたはオペレーティングシステムは、これらのコンピュータタイプまたはオペレーティングシステムの要求に応じる機関へより高い得点を与えるように使用される。例えば、Apple Macintosh（登録商標）等の特殊なコンピュータタイプまたはMicrosoft Windows（登録商標）等のオペレーティングシステムのユーザの要求に応じる電子メールアカウントを提供する機関が存在する。ユーザ１０２によるウェブナビゲーションのパターンは、ユーザ１０２がネットワークアクセス可能なアカウントを有する機関のウェブサイトを訪ねたことがあるかどうかを決定するために使用されることが可能である。訪ねたことがあれば、ユーザ１０２はこれらの機関によるアカウントを有すると考えられることから、規則はこれらの機関へより高い得点を与えることができる。他の規則は、ユーザ１０２が所定の限界値を超える残高のアカウントを保有していれば、ユーザ１０２は富裕な個人の要求に応じる機関によって提供されるアカウントを所有している可能性がある、という仮定を組み込むことができる。
【００５０】
他の例では、機関１２２はクライアント企業に退職後貯蓄サービスを提供する金融機関である。この場合、クライアント企業は従業員が利用可能なアカウントの包括的ビューを有することを希望するかもしれない。機関１２２は、クライアント企業のニーズに基づいて機関リストを提供する。例えば、クライアント企業はデータベース１１８のセクション１２２に、上記クライアント企業に関連づけられる機関へより高い得点を与えるルールセットをプログラムすることができる。上記クライアント企業の従業員はこれらの機関による多くのアカウントを保有している可能性があることから、このようにして機関リストを構成すればアカウントウィザードは従業員にとってより便利なものになる。
【００５１】
ここに記載した技術は任意の特定ハードウェアまたはソフトウェア構成に限定されるものではなく、任意のコンピューティングまたは処理環境において適用可能であることがわかる。本技術は、ハードウェア、ソフトウェアにおいて、または両者の組合わせで実施されることが可能である。本技術は、モバイルまたは固定式コンピュータ、パーソナルデジタルアシスタント及び各々がプロセッサ、上記プロセッサによる読み取りが可能な記憶媒体（揮発性及び不揮発性メモリ及び／または記憶素子を含む）、少なくとも１つの入力デバイス及び１つまたは複数の出力デバイスを含む類似デバイス等のプログラマブルマシン上で実行されるプログラムに実施されることが可能である。プログラムコードは、入力デバイスを使用して入力されるデータに適用されて上述した機能が実行され、かつ出力情報が生成される。出力情報は、１つまたは複数の出力デバイスへ印加される。
【００５２】
各プログラムは、マシンシステムと通信するための高レベル手続き型またはオブジェクト指向プログラミング言語において実施されることが可能である。但し上記プログラムは、所望されればアッセンブリまたはマシン言語で実施されることも可能である。何れにしても、上記言語はコンパイラ型またはインタープリタ型言語であり得る。
【００５３】
このような各プログラムは、例えばコンパクトディスク読み取り専用メモリ（ＣＤ−ＲＯＭ）、ハードディスク、磁気ディスクまたは汎用または専用プログラマブルマシンによる読み取りが可能な類似の媒体またはデバイスである記憶媒体またはデバイス上に格納されることが可能であり、上記記憶媒体またはデバイスがコンピュータによって読み取られると、本明細書に記述した手順を実行するようにマシンを設定しかつ動作させる。上記システムはまた、プログラムで設定された機械読み取り可能記憶媒体として実施される場合もあり、この場合、このように設定された記憶媒体によりマシンは特定かつ予め定義された方法で動作される。
【００５４】
本発明を幾つかの実施形態に関連して説明したが、本発明の思想及び範囲を逸脱することなく様々な変更を行ない得ることは理解されるであろう。従って、添付の請求の範囲は他の実施形態も包含する。
【図面の簡単な説明】
【００５５】
【図１】ネットワークの構成を示す。
【図１Ａ】データベースを示す。
【図２】包括的ビューへアカウントを追加するプロセスを示すフローチャートである。
【図３】アカウント紹介画面を示す。
【図４】ユーザがアカウントを追加できるようにした画面を示す。
【図５】ユーザがアカウントを追加できるようにした画面を示す。
【図６】ユーザがアカウントを追加できるようにした画面を示す。
【図７】ユーザがアカウントを追加できるようにした画面を示す。
【図８】ユーザがアカウントを追加できるようにした画面を示す。
【図９】アカウントのサインイン画面を示す。
【図１】
2007526538.tif 000003
【図１Ａ】
2007526538.tif 000004
【図２】
2007526538.tif 000005
【図３】
2007526538.tif 000006
【図４】
2007526538.tif 000007
【図５】
2007526538.tif 000008
【図６】
2007526538.tif 000009
【図７】
2007526538.tif 000010
【図８】
2007526538.tif 000011
【図９】
2007526538.tif 000012
【国際調査報告】
2007526538.tif 000013
2007526538.tif 000014